(57)【要約】【課題】顧客吸引力のある動画をインターネットを通じて配信すると共に、広告スポンサーへのアクセスを容易にして広告効果を増大させる。【解決手段】サーバ１配信される広告用の動画及び付加されたＱＲコードが表示装置３に表示される。ユーザは、表示装置３に表示されたＱＲコードを撮影し、ＱＲコード解析部によってＱＲコードを解析して、ＱＲコードに含まれるデータをデコードし、復号されたＵＲＬデータを用いて、広告スポンサー５のホームページにアクセスし、情報の取得や商品購入、更にはサービス申し込みをおこなう。動画によってユーザの注意を引き付け、広告スポンサーのホームページにアクセスするものであり、ユーザはＵＲＬデータの入力手続から解放され、入力ミスを防止でき、アクセスが容易になる。【選択図】 図１
2008065125.tif 000002
【特許請求の範囲】
【請求項１】
ハイビジョン動画コンテンツの格納装置、動画コンテンツの配信ププログラムにしたがって動画コンテンツを格納装置から呼び出して配信するデータ配信装置、及び動画コンテンツに対応したコード情報を生成するコード生成装置と生成したコード情報を画像化して動画と合成する合成装置とからなる広告システム。
【請求項２】
請求項１において、動画コンテンツにＩＤが付属させてあり、コード生成装置はＩＤに対応したコード情報を生成するものである広告システム。
【請求項３】
請求項１〜２のいずれかにおいてコード情報がＵＲＬのＱＲコードである広告システム。
【請求項４】
請求項３のシステムを利用したサービス提供方法であって、動画コンテンツ配信装置が通信回線を介して配信するステップ、
配信した動画及びＱＲコードを表示するステップ、
この表示されたＱＲコードを撮像する撮像ステップ、
この撮像されたＱＲコードを解析してＵＲＬデータに復元する解析ステップ、
解析ステップにより得られたＵＲＬデータを利用して前記ＵＲＬにアクセスするサービス提供方法。
【発明の詳細な説明】
【技術分野】
【０００１】
本発明は、ハイビジョンレベルの動画コンテンツを配信する広告システムに関する。
【背景技術】
【０００２】
雑誌やポスターに広告スポンサーのホームページのＵＲＬをコード化したＱＲコード等のコード情報を印刷し、カメラ付携帯電話等でＱＲコードを撮影して解読し、キー操作によるＵＲＬ入力を省略してスポンサーのホームページに接続し、掲載された商品またはサービスに関する情報の収集、もしくは、購入手続をすることが実用化されている。
インターネットのホームページ画面にも同様にＱＲコードを表示して、所望のＵＲＬに誘導することがおこなわれており、ＱＲコードを使用することによって入力操作を簡素化すると共にキー操作による入力ミスを防止している。
【特許文献１】特開２００３−２３３５４６号公報
【発明の開示】
【発明が解決しようとする課題】
【０００３】
広告においては、静止画に比較して動画のほうが見る者を誘引する力が大きく、動画を利用した広告をインターネットを通じて安定的に送信することが望まれている。
現状のインターネットを通じた動画送信としてストリーミング配信があるが、通信速度が高速である光回線を使用しても、画像フレームをバッファリングするための時間が比較的に長く、間があきすぎるという問題がある。加えて、ＱＲコードが解読されうる精細度で画面に表示するにはハイビジョンクラスの画像を送信する必要があったが、通信回線の能力の問題から実現ができなかった。
【０００４】
広告を動画によってインターネットを通じて消費者に送ることによって、広告に対する注目度を上げ、更に詳しく広告内容を知りたいと思わせ、更には商品やサービスの注文に結びつけることが望ましく、動画にスポンサーに直接アクセスするための情報コードを合成して表示し、埋め込んでおく。
注文等に結びつけるために、動画にＱＲコードを付加して表示し、関心を持ったものが広告の提供者に直接接続できるようにする必要がある。
そのため、本発明は、精細な動画像に情報コードを合成して送信すると共に、広告のスポンサーと消費者との関係を双方向通信によって関わりを密にするものである。
【課題を解決するための手段】
【０００５】
この発明の広告システムは、ハイビジョン動画コンテンツの格納装置、動画コンテンツの配信プログラムにしたがって動画コンテンツを格納装置から呼び出して配信するデータ配信装置、及び動画コンテンツに対応したコード情報を生成するコード生成装置と生成したコード情報を画像化して動画と合成する合成装置とからなる広告システムである。
【発明の効果】
【０００６】
この発明によれば、高精細な動画と共にＱＲコード等のコード情報をインターネット回線を通じて送信することができ、高精細動画によって注目度を高め、同時に動画像に合成表示されたコード情報を撮影して解読することによって利用者は、キー操作をすることなく広告のスポンサーのホームページにアクセスすることができ、広告効果を高めることが可能である。
高精細動画像であるので、大型の表示装置を使用することが可能であり、表示装置は一般家庭のコンピュータに限らず、人出が予想される場所に大型の表示装置を設置することが可能である。
例えば、日常的に人の出入りがあるコンビニなどの店頭にプラズマまたは液晶モニタを設置して広告画像を流すことによって、来店客や通行人の注目を引くことができる。
また、交通機関の駅、空港、船乗り場の待合室に設置し、待ち時間を動画像に目を止め、気に入った商品等の映像に表示されたＱＲコードを携帯電話で撮影するようにさせる。
【０００７】
広告スポンサーのホームページに接続した後の具体的な広告商品等の注文、
映画、コンサート、航空券等のチケット予約、ホテル及び旅館の予約が上げられる。
レストランや食堂の場合は、表示場所からの地図または道順を表示して、客を店まで誘導するようにしてもよい。
【０００８】
表示されたコード情報が携帯電話に付属したカメラ等で撮影され、解析されたＵＲＬによって広告スポンサーのホームページにアクセスするものであり、キー操作することなくＵＲＬの入力が完了して双方向通信が成立すると共に、キー操作に基づく入力ミスを防止することができ、ビジネスを円滑に遂行できる。
【発明を実施するための最良の形態】
【０００９】
図１及び図２に示すように、コンテンツデータ配信システムは、配信用のサーバ１、動画コンテンツの格納装置１０からなり、コード情報生成装置１１、コード情報合成装置１２が設けてある。動画コンテンツにコード情報生成装置１１で生成されたコード情報がコード情報合成装置１２によって合成され、配信プログラムに従ってインターネット回線２を通じて送出される。
動画像が表示される表示装置３は、インターネットに接続可能なパーソナルコンピュータ（パソコン）、大型モニタ、プロジェクタなどであり、通信制御部を備えている。
コンピュータ用のモニタ以外の大型の表示装置に動画像を表示する場合は、専用の受信装置３０を介在させる。
【００１０】
配信用サーバ１は、表示装置３でとなる端末３に対してス配信プログラムのスケジュールに基づいて格納装置１０に格納された動画コンテンツデータを呼び出してインターネット回線２を通じて送信する。コンテンツデータには付加された広告スポンサー識別ＩＤ及び商品・サービスＩＤに基づいて、関連する商品を表示しているＵＲＬに対応したコード情報を生成し、合成装置１２によって動画像とコード情報を合成して配信する。
ＱＲコード生成部は、動画コンテンツの配信計画に対応して、要求に係るコンテンツデータ自体、及び各種のデータをＱＲコードに変換する機能を有する。ＱＲコードは、２次元コードの一種であり、株式会社デンソーが１９９７年に発表した方式である。
このＱＲコードには、誘導すべきホームページのＵＲＬ、コンテンツ情報（コンテンツＩＤ）、広告スポンサーＩＤ、ＱＲコード番号、ＱＲコード作成日時、ＱＲコードの有効期限が含まれている。
【００１１】
ＱＲコード情報が合成された動画像は、インターネット回線２を通じて端末の表示装置３に表示される。
インターネット回線を利用するため、追加の回線費用を必要とせず、既存のインフラを有効に利用するものであるので、低価格で動画像からなる広告を全国に送信することが可能である。
【００１２】
なお、この実施例では、２次元コードとしてＱＲコードを例示したが、その他の２次元コード、例えばスタックトバーコード（Ｓｙｍｂｏｌ社（米国））、Ｖｅｒｉｃｏｄｅ（ＶＥＲＩＴＥＣ社（米国））、Ｄａｔａ Ｍａｔｒｉｘ（ＩＤ．ＭＡＴＲＩＸ社（米国））等に置換することが可能である。
【００１３】
列挙した項目は固定されるものではなく、必要とされるデータに置き換えることができることはいうまでもない。
生成されたＱＲコードは、ビットマップデータやｇｉｆデータ等の画像データに変換された後、動画と合成されて送信される。送受信部としての通信制御部で受信された画像データとしてのＱＲコードは、表示制御部による所定の処理を受けて表示装置に表示される。
【００１４】
この実施例では、カメラ付き携帯電話でＱＲコードを撮像するものであり、この携帯電話は、制御部、記憶媒体、ＲＯＭ、ＲＡＭ、通信制御部、表示制御部、表示部、ＣＣＤカメラ、インタフェースＡ及びＱＲコード解析部を備えている。
ＲＯＭには、ブラウザ等のソフトウエアがインストールされ、制御部により起動される。
なお、カメラ付き携帯電話に限定されるものでなく、デジタルカメラで撮像された画像からＱＲコードを解析して、ＱＲコードに含まれる各種データを取得するようにすることもできる。
【００１５】
ユーザは、カメラ４で、この表示装置３に表示されたＱＲコードを撮影し、ＱＲコード解析部によってＱＲコードを解析して、ＱＲコードに含まれるデータをデコードする。復号されたＵＲＬデータを用いて、広告スポンサー５のホームページにアクセスし、情報の取得や商品購入、更にはサービス申し込みをおこなう。
【００１６】
動画コンテンツデータ配信装置から提供されたＱＲコードをカメラ付き携帯電話等の端末により撮影して解析して広告スポンサーのホームページにアクセスするものである。ユーザはＵＲＬデータの入力手続から解放され、入力ミス等が生じる恐れもなくなる。
【図面の簡単な説明】
【００１７】
【図１】本発明のコンテンツデータ配信システムの概念図。
【図２】本発明のコンテンツデータ配信システムの詳細概念図。
【符号の説明】
【００１８】
１    サーバ
２    インターネット回線
３    表示装置
４    カメラ
１０  格納装置
１１  コード情報生成装置
１２  コード情報合成装置
【図１】
2008065125.tif 000003
【図２】
2008065125.tif 000004
【手続補正書】
【提出日】平成18年9月12日(2006.9.12)
【手続補正１】
【補正対象書類名】特許請求の範囲
【補正対象項目名】請求項１
【補正方法】変更
【補正の内容】
【請求項１】
ハイビジョン動画コンテンツの格納装置、動画コンテンツの配信プログラムにしたがって動画コンテンツを格納装置から呼び出して配信するデータ配信装置、及び動画コンテンツに対応したコード情報を生成するコード生成装置と生成したコード情報を画像化して動画と合成する合成装置とからなる広告システム。